(57)【要約】【課題】全長が短いスタッドボルトの先端部にも確実な抜け止め状態に強固に固定できるスタッドボルト用結束バンドを提供する。【解決手段】バンド部３の長さ方向基端側に一体に形成したバンドヘッド部４はスタッドボルト６を嵌入するボルト嵌入孔７ａを有する短筒状固定部７と、バンド部３の自由先端部を挿通するバンド挿通孔部５を有する。ボルト嵌入孔７ａの内部には、スタッドボルト６の嵌入により弾性拡開可能な少なくとも一対の弾性係止片１２が各先端部どうしを互いに近づけ合う傾斜姿勢で相対向状に突設され、各弾性係止片１２にスタッドボルト６のねじ溝に係合する少なくとも２個以上のボルト係止爪１４が弾性係止片１２の長さ方向に並べて設けられている。【選択図】図３
2007224933.tif 000002
【特許請求の範囲】
【請求項１】
所定長さのバンド部と、このバンド部の長さ方向基端側に一体に形成したバンドヘッド部とからなり、前記バンドヘッド部はスタッドボルトを嵌入するボルト嵌入孔を有する短筒状固定部と、前記バンド部の自由先端部を挿通するバンド挿通孔部を有しているスタッドボルト用結束バンドにおいて、
前記ボルト嵌入孔の内周に、該ボルト嵌入孔の中心軸と平行な溝と凸条を円周方向に交互に設け、前記凸条の内端に前記スタッドボルトのねじ山の山頂に近接ないし当接する円弧状凹部を設けており、前記溝内には、前記スタッドボルトの嵌入により弾性拡開可能な少なくとも一対の弾性係止片が各先端部どうしを互いに近づけ合う傾斜姿勢で相対向状に突設され、各弾性係止片に前記スタッドボルトのねじ溝に係合する少なくとも２個以上のボルト係止爪が弾性係止片の長さ方向に並べて設けられていることを特徴とする、スタッドボルト用結束バンド。
【発明の詳細な説明】
【技術分野】
【０００１】
本発明は、ワイヤハーネス等を結束保持してスタッドボルトに固定するためのスタッドボルト用結束バンドに関する。
【背景技術】
【０００２】
この種のスタッドボルト用結束バンドとして、たとえば、図５に示すように、所定長さのバンド部（図示せず）の長さ方向基端側にバンドヘッド部２１を一体に形成し、該バンドヘッド部２１に、トラックのシャーシ２２等から突設されるスタッドボルト２３の先端部を嵌入するボルト嵌入孔２４を設け、該ボルト嵌入孔２４の内部に、スタッドボルト２３の先端部の嵌入により弾性拡開可能な一対の弾性係止片２５，２５を相対向状に設け、各弾性係止片２５にスタッドボルト２３のねじ溝に係合するボルト係止爪２６を１個のみ設けたものがある（例えば、特許文献１参照。）。
【０００３】
【特許文献１】特開２０００−１７９５２３号公報
【発明の開示】
【発明が解決しようとする課題】
【０００４】
しかしながら、トラックのシャーシ２２等から突設される上記スタッドボルト２３の取り付け状況によってはスタッドボルト２３の先端部が十分な長さに突出されず、その突出量が比較的短い場合がある。このような場合、スタッドボルト２３のねじ溝に係合するボルト係止爪２６が弾性係止片２５に１個だけ設けられている上記スタッドボルト用結束バンドではボルト係止爪２６とスタッドボルト２３のねじ溝との係合力が弱くてスタッドボルト２３からの抜け止め阻止力に欠けるため、全長の短いスタッドボルト２３の先端部にはバンドヘッド部２１を確実に固定できなかったり、固定できたとしてもバンドヘッド部２１がスタッドボルト２３の先端部から抜け出し易くなったりするという問題があった。また、１個のボルト係止爪２６が不慮に破損、欠損するとスタットボルト２３から抜け出るという不具合が生じる。
【０００５】
本発明は、このような問題を解決するためになされたものであり、全長が短いスタッドボルトの先端部にも抜け止め状態に確実、強固に固定できるスタッドボルト用結束バンドを提供することを目的とする。
【課題を解決するための手段】
【０００６】
本発明は、所定長さのバンド部と、このバンド部の長さ方向基端側に一体に形成したバンドヘッド部とからなり、前記バンドヘッド部はスタッドボルトを嵌入するボルト嵌入孔を有する短筒状固定部と、前記バンド部の自由先端部を挿通するバンド挿通孔部を有しているスタッドボルト用結束バンドにおいて、前記ボルト嵌入孔の内周に、該ボルト嵌入孔の中心軸と平行な溝と凸条を円周方向に交互に設け、前記凸条の内端に前記スタッドボルトのねじ山の山頂に近接ないし当接する円弧状凹部を設けており、前記溝内には、前記スタッドボルトの嵌入により弾性拡開可能な少なくとも一対の弾性係止片が各先端部どうしを互いに近づけ合う傾斜姿勢で相対向状に突設され、各弾性係止片に前記スタッドボルトのねじ溝に係合する少なくとも２個以上のボルト係止爪が弾性係止片の長さ方向に並べて設けられていることに特徴を有するものである。
【発明の効果】
【０００７】
上記構成のスタッドボルト用結束バンドによれば、短筒状固定部のボルト嵌入孔内に設けた少なくとも一対の弾性係止片にそれぞれ少なくとも２個以上のボルト係止爪が弾性係止片の長さ方向に並べて設けられているので、スタッドボルトのねじ溝と弾性係止片との係合力を増強でき、全長の短いスタッドボルトの先端部にもバンドヘッド部を抜け止め状態に強固に固定することができる。また、バンドヘッド部は相対向する凸条の円弧状凹部間にスタッドボルトを介在させることでボルト嵌入孔の中心をスタッドボルトの軸心位置に合致させるように且つがたつきなく保持固定することができる。
【０００８】
また、たとえ、ひとつの弾性係止片上に設けてある１個のボルト係止爪が不測に破損、欠損しても、残余のボルト係止爪とねじ溝との係合によりバンドヘッド部がスタットボルトから抜け出るのを防止できる。
【発明を実施するための最良の形態】
【０００９】
本発明の好適な実施形態を図面に基づき説明する。図１は本発明の一実施例を示すスタッドボルト用結束バンドの斜視図、図２は図１に示すスタッドボルト用結束バンドのバンドヘッド部の断面図、図３は使用例を示す断面図、図４は図３におけるＣ部拡大断面図である。
【００１０】
図１において、本発明に係るスタッドボルト用結束バンド１は、全体がナイロン、ポリプロピレン等の合成樹脂からなる一体成形品であって、その長手方向に複数の係合突起２を列設した所定長さを有する可撓性のバンド部３と、このバンド部３の長さ方向基端側に一体に形成したバンドヘッド部４とからなる。バンドヘッド部４はバンド部３の自由先端部３ａを挿通するバンド挿通孔部５と、スタッドボルト６（図３参照）を嵌入する短筒状固定部７とを有する。
【００１１】
図２に示すように、バンド挿通孔部５はバンド部３の基端側にバンド挿通孔５ａをバンド部３の長さ方向と直交する方向に貫通するよう一体に形成される。バンド挿通孔５ａの内部には、バンド部３がこれの自由先端部３ａから該バンド挿通孔５ａに矢印方向ａに挿入されると係合突起２が反挿入方向に引抜き不可能に係合する弾性変形自在な１個もしくは複数個の係止爪８が一体に形成されている。
【００１２】
図１〜図３に示すように、短筒状固定部７はバンド挿通孔部５の外周一側部に全長の短いスタッドボルト６（図３参照）の長さに対応して短い筒状に一体に形成し、ボルト嵌入孔７ａをバンド挿通孔５ａと平行に貫通状に形成している。ボルト嵌入孔７ａの内周には、ボルト嵌入孔７ａの中心軸と平行な溝９と凸条１０を円周方向に交互に設けている。各凸条１０の内端にはスタッドボルト６のねじ山１１の山頂に近接ないし当接する円弧状凹部１０ａを設けている。そして溝９内には、スタッドボルト６のｂ方向（図２参照）からの嵌入により弾性拡開可能な少なくとも一対（図示例では３個）の弾性係止片１２，１２が各先端部どうしを互いに近づけ合う傾斜姿勢で相対向状に突設される。各弾性係止片１２にはスタッドボルト６のねじ山１１，１１間のねじ溝１３に係合する少なくとも２個以上のボルト係止爪１４が弾性係止片１２の長さ方向に並べて設けられている。図示例ではボルト係止爪１４は各弾性係止片１２の最先端部と該最先端部の後ろ側とに２個並べて設けている。
【００１３】
次に、上記構成のスタッドボルト用結束バンド１を用いて、例えば、図３に示すように、ワイヤハーネス等の被結束物１５を結束保持してトラックのシャーシ１６のスタッドボルト６に固定する使用要領の一例について説明する。
【００１４】
バンド部３で被結束物１５の外周を強く巻き付けて、その自由先端部３ａをバンド挿通孔部５のバンド挿通孔５ａに矢印方向ａに挿入する。すると、バンド挿通孔５ａ内の係止爪８にバンド部３の係合突起２が係合してバンド部３が反挿入方向に引抜き不可能に係合するため、被結束物１５が結束保持される。なお、バンド部３のバンド挿通孔５ａから突出する先端部は適宜切断される。
この被結束物１５の結束後または結束前には、短筒状固定部７のボルト嵌入孔７ａをスタッドボルト６の先端部に嵌入すると、弾性係止片１２が弾性的に拡開し、ボルト係止爪１４がスタッドボルト６のねじ溝１３に係合する。その際、ボルト係止爪１４は少なくとも２個以上設けているので、スタッドボルト６のねじ溝１３と弾性係止片１２との係合力を増強でき、全長の短いスタッドボルト６の先端部にもバンドヘッド部４を抜け止め状態に強固に固定することができる。また、バンドヘッド部４は相対向する凸条１０，１０の円弧状凹部１０ａ，１０ａ間にスタッドボルト６を介在させることでボルト嵌入孔７ａの中心をスタッドボルト６の軸心位置に合致させるように且つがたつきなく保持固定される。
このように、結束バンド１自体をスタッドボルト６に固定すると同時に、被結束物１５を結束状態のままシャーシ１６側に固定できる。
【図面の簡単な説明】
【００１５】
【図１】本発明の一実施例を示すスタッドボルト用結束バンドの斜視図である。
【図２】図１に示すスタッドボルト用結束バンドのバンドヘッド部の断面図である。
【図３】使用態様例を示す断面図である。
【図４】図３におけるＣ部拡大断面図である。
【図５】従来例のスタッドボルト用結束バンドのバンドヘッド部の断面図である。
【符号の説明】
【００１６】
１  スタッドボルト用結束バンド
３  バンド部
４  バンドヘッド部
５  バンド挿通孔部
６  スタッドボルト
７  短筒状固定部
７ａ  ボルト嵌入孔
９  溝
１０  凸条
１０ａ  円弧状凹部
１２  弾性係止片
１３  ねじ溝
１４  ボルト係止爪
【図１】
2007224933.tif 000003
【図２】
2007224933.tif 000004
【図３】
2007224933.tif 000005
【図４】
2007224933.tif 000006
【図５】
2007224933.tif 000007